(57)【要約】      （修正有）【課題】盗難防止用に施錠が可能な場合に、隙間から手を入れられて解錠されてしまうことを防止できる荷物搬送用カートを提供する。【解決手段】搬送用カートは、底部に車輪が設けられ平面形状が長方形、または正方形の支持台と、支持台の各辺から鉛直方向に立設され、格子状に形成された側壁部を備えるとともに、側壁部のうちの１つは、支持台の一辺において第１開閉部、及び第２開放部へと鉛直方向に分割されることで、開閉可能に設けられている。また、搬送用カートは、第１開閉部と第２開閉部の互いの境界領域において、閉鎖状態からの移動を抑止するロック状態と、閉鎖状態からの移動が許容された解錠状態とに変位するロック機構と、ロック機構の周囲における第１開閉部、及び第２開閉部には、格子状の隙間をふさぐ板状部と、がさらに設けられている。【選択図】図１
0003206821.tif 000002
【実用新案登録請求の範囲】
【請求項１】
底部に車輪が設けられ平面形状が長方形、または正方形の支持台と、前記支持台の各辺から鉛直方向に立設され、格子状に形成された側壁部を備えるとともに、
前記側壁部のうちの１つは、当該側壁部が設けられている前記支持台の一辺において第１開閉部、及び第２開放部へと鉛直方向に分割されることで、開閉可能に設けられており、
前記第１開閉部、及び第２開閉部との互いの境界領域において、前記第１開閉部、及び第２開閉部が閉鎖状態からの移動を抑止するロック状態と、前記第１開閉部、及び前記第２開閉部が閉鎖状態からの移動が許容された解錠状態とに変位するロック機構と、
前記ロック機構の周囲における前記第１開閉部、及び前記第２開閉部には、前記格子状の隙間をふさぐ板状部と、
がさらに設けられてなる
ことを特徴とする搬送用カート。
【請求項２】
前記ロック機構は、パスワード方式によるものであり、あらかじめ設定した暗証番号を入力することで前記解錠状態になる
ことを特徴とする請求項１に記載の搬送用カート。
【考案の詳細な説明】
【技術分野】
【０００１】
本考案は、荷物搬送用搬送用カートに関する。
【背景技術】
【０００２】
大きな荷物を搬送する場合に、三方、または四方を格子状の側壁に囲まれ、底部に車輪のついた搬送カートを用いることが一般化している。このような搬送用カートでは、四方の側壁のうち１つの側壁が開閉可能に設けられており、荷物の収容、または取り出し時にこの側壁を開放して作業を行うようになっている。
【先行技術文献】
【特許文献】
【０００３】
【特許文献１】特開２００９−６７４７７号公報
【考案の概要】
【考案が解決しようとする課題】
【０００４】
このような搬送カートでは、搬送中に少しカートから離れる場合などに盗難を防止すべく、外部から中の荷物を取り出せないように閉鎖し、その状態で施錠をできることが望ましい。しかしながら、このような施錠に用いられるロック機構にあっては、裏側に鍵を回す取っ手部分がついている場合が多いが、鍵を閉めたとしても、格子状の形状のため、格子の隙間から手をいれて、鍵を開くことができることができるような場合があり、これを回避する工夫が必要であった。
【０００５】
本考案は上記に鑑みなされたもので、盗難防止用に施錠が可能な場合に、隙間から手を入れられて解錠されてしまうことを防止することのできる搬送用カートを提供することにある。
【課題を解決するための手段】
【０００６】
第１の考案の搬送用カートは、底部に車輪が設けられ平面形状が長方形、または正方形の支持台と、前記支持台の各辺から鉛直方向に立設され、格子状に形成された側壁部を備えるとともに、前記側壁部のうちの１つは、当該側壁部が設けられている前記支持台の一辺において第１開閉部、及び第２開放部へと鉛直方向に分割されることで、開閉可能に設けられている。また、搬送用カートは、前記第１開閉部、及び第２開閉部との互いの境界領域において、前記第１開閉部、及び第２開閉部が閉鎖状態からの移動を抑止するロック状態と、前記第１開閉部、及び前記第２開閉部が閉鎖状態からの移動が許容された解錠状態とに変位するロック機構と、前記ロック機構の周囲における前記第１開閉部、及び前記第２開閉部には、前記格子状の隙間をふさぐ板状部と、がさらに設けられてなる。
【考案の効果】
【０００７】
本考案の搬送用カートは、盗難防止用に施錠が可能な場合に、隙間から手を入れられて解錠されてしまうことを防止することができるようになる
【図面の簡単な説明】
【０００８】
【図１】実施形態の搬送カートの全体斜視図である。
【図２】実施形態の搬送カートの鍵部の閉鎖状態を裏面からみた図である。
【図３】実施形態の搬送カートの鍵部の開放状態を裏面からみた図である。
【考案を実施するための形態】
【０００９】
以下、図面を参照して本考案を具体化した実施形態について説明する。図１は、搬送用カート１の全体を示す斜視図である。図１に示されるように、搬送用カート１は、支持台２０、側壁部１０、側壁部３０、側壁部４０、側壁部５０、ロック機構６０を備えている。支持台２０は、平面形状が長方形、または正方形になっており、底部に４つの車輪２０ａ、２０ｂ、２０ｃ、２０ｄが設けられている。側壁部１０、側壁部３０、側壁部４０、側壁部５０は、支持台２０の各辺から延長方向上方に向けて立設されており、その全部、または一部が格子状に形成されている。各側壁部が格子状に形成されているのは、中に収納されている物の状況を把握しやすくするためである。本実施形態では、第１開閉部１０ａと第２開閉部１０ｂとは格子状に掲載されており、ほかの側壁部３０、４０、５０は隙間のない板形状に形成されている。
【００１０】
また、側壁部のうち側壁部１０は、第1開閉部１０ａと、第２開閉部１０ｂの２つの部位へと延長方向に分割されており、第１開閉部１０ａは、支持台２０の一辺に対して、側壁部４０側に対して取り付けられた縁部を軸として回転して開閉動作が可能となっている。また、第２開閉部１０ｂは、支持台２０の一辺に対して、側壁部３０側に対して取り付けられた縁部を軸として回転して開閉動作が可能となっている。
【００１１】
また、第２開閉部１０ｂには、ロック機構６０が設けられている。本実施形態では、ロック機構６０はパスワード形式のロック方式を採用しており、施錠の際に設定した暗証番号を入力することで、物理的な鍵がなくとも解錠が可能になっている。図２、図３は、第１開閉部１０ａ、及び第２開閉部１０ｂを裏側から見た状態を示す図である。図２に示されるように、ロック機構６０は、第２開閉部１０ｂ側に本体部７０ｄが設けられている。本体部７０ｄは、内部に鍵を動作させるアクチュエーターや暗証番号の判定などを行う電子回路などを備えている。本体部７０ｄには、操作取っ手部７０ａと、操作取っ手部７０ａと連動して可動する鍵部７０ｂが設けられている。操作取っ手部７０ａは、手動でロック機構６０の解錠、施錠の操作を行うための部位である。本ロック機構６０は、利用者側からは暗証番号方式によって操作を行うものであるため、この操作取っ手部７０ａは、利用者からは操作ができないようロック機構６０の裏側に設けられている。
【００１２】
鍵部７０ｂは、棒状に形成されており、鍵受部７０ｃに対して挿入された状態で、ロック機構６０全体の移動が規制された状態となる。図２は、ロック機構６０が、第１開閉部１０ａと第２開閉部１０ｂの両方を閉鎖状態から移動が許容された解錠状態を示しており、鍵部７０ｂが図中左側に移動しており、鍵受部７０ｃからは乖離している。図３は、ロック機構６０が、第１開閉部１０ａと第２開閉部１０の両方が閉鎖状態からの移動を抑止されたロック状態を示しており、鍵部７０ｂが鍵受部７０ｃに挿入されて、係合した状態となっている。すなわち、ロック機構６０は、第１開閉部１０ａと第２開閉部１０ｂとの境界領域をまたがるように鍵部７０ｂが変位し、第１開閉部１０ａ、または第２開閉部１０ｂを施錠状態で動かそうとしても、当該鍵部７０ｂによってその移動が抑止されるようになっている。
【００１３】
また、図２、図３に示されるように、第１開閉部１０ａの裏面側には板状部６０ａが、第２開閉部１０ｂの裏面側には板状部６０ｂがそれぞれ設けられいる。板状部６０ａ、及び６０ｂは、例えばスチールのような素材で形成されており、大きさとしては、表側から裏側の操作取っ手部７０ａに指が届かない程度の大きさに形成され溶接によって取り付けられている。この板状部６０ａ、６０ｂは、第１開閉部１０a、第２開閉部１０ｂの格子の隙間をふさぐ役割をしている。
【００１４】
また、本実施形態の搬送用カート１は各側壁部１０、３０、４０、５０のそれぞれの４隅において、折り畳み可能に構成されている。搬送用カート１として用いる際には、隣接する側壁同士を互いに固定することで、搬送用カート１として安定して利用可能なようになる。また、折り畳みの際には、ロック機構６０が折り畳みの邪魔にならないように、折り畳み順が設定されている。ロック機構６０の裏側の本体部７０ｄや鍵部７０ｂの突出部分は、側壁部３０、及び４０の内側に形成された空間に対して嵌る位置にくるように、位置を調整して設けられている。また、第１開閉部１０ａと第２開閉部１０ｂとが折りたたんだ際に表側に位置するようにしても、折り畳みの際にロック機構６０が邪魔にはならないようになっている。
【符号の説明】
【００１５】
１…搬送用カート
１０…側壁部
１０ａ…第１開閉部
１０ｂ…第２開閉部
２０…支持台
３０…側壁部
４０…側壁部
５０…側壁部
６０…ロック機構
６０ａ…板状部
６０ｂ…板状部
【図１】
0003206821.tif 000003
【図２】
0003206821.tif 000004
【図３】
0003206821.tif 000005